(57)【要約】【課題】無線通信を用いてデジタル処理サービスを提供するプリンター等の提供装置であって、無線通信を可能とするための設定を従来よりも容易に行うことができ、そのための装置環境も簡便に構築できる提供装置等を提供する。【解決手段】デジタル処理サービスを提供する装置であって、当該サービスを利用する利用装置との間で無線通信を行う提供装置が、無線通信を行う無線通信手段と、装着されることで装着された装置のために無線通信を行う可搬性の無線通信デバイス、を装着可能なインターフェース手段と、無線通信のための設定情報を生成する生成手段と、前記インターフェース手段に装着された前記無線通信デバイスに、前記生成手段が生成した設定情報に基づいて、当該無線通信デバイスが装着された前記利用装置と前記無線通信手段との無線通信を可能にする設定処理を実行する設定手段とを有する。【選択図】  図１
2011011462.tif 000002
【特許請求の範囲】
【請求項１】
デジタル処理サービスを提供し、当該サービスを利用する利用装置との間で無線通信を行う提供装置であって、
無線通信を行う無線通信手段と、
装着されることで装着された装置のために無線通信を行う可搬性の無線通信デバイス、を装着可能なインターフェース手段と、
無線通信のための設定情報を生成する生成手段と、
前記インターフェース手段に装着された前記無線通信デバイスに、前記生成手段が生成した設定情報に基づいて、当該無線通信デバイスが装着された前記利用装置と前記無線通信手段との無線通信を可能にする設定処理を実行する設定手段と、を有する
ことを特徴とする提供装置。
【請求項２】
請求項１において、
前記無線通信デバイスは、レジスタを有し、
前記設定手段は、前記設定情報を前記レジスタに設定することで前記無線通信を可能にする
ことを特徴とする提供装置。
【請求項３】
請求項２において、
前記設定手段は、２以上の前記無線通信デバイスに前記設定処理を実行することが可能であり、
前記レジスタに設定する設定情報は、いずれの前記無線通信デバイスに対しても、各無線通信デバイスを識別する情報を除いて同じである
ことを特徴とする提供装置。
【請求項４】
請求項３において、
既に用いた前記各無線通信デバイスを識別する情報が、当該提供装置に記憶される
ことを特徴とする提供装置。
【請求項５】
請求項１乃至請求項４のいずれかにおいて、
前記設定手段による設定処理は、前記無線通信デバイスが前記インターフェース手段に装着されたことが検出された際に実行される
ことを特徴とする提供装置。
【請求項６】
請求項１乃至請求項５のいずれかにおいて、
前記提供装置は、プリンターであり、
前記利用装置は、コンピューターである
ことを特徴とする提供装置。
【請求項７】
デジタル処理サービスを提供する提供装置と、当該サービスを利用する利用装置と、前記利用装置が前記提供装置と無線通信を行うための可搬性の無線通信デバイスとを備える無線通信システムであって、
前記提供装置は、
無線通信を行う無線通信手段と、
前記無線通信デバイスを装着可能な提供側インターフェース手段と、
無線通信のための設定情報を生成する生成手段と、
前記インターフェース手段に装着された前記無線通信デバイスに、前記生成手段が生成した設定情報に基づいて、当該無線通信デバイスが装着された前記利用装置と前記無線通信手段との無線通信を可能にする設定処理を実行する設定手段と、を有し、
前記利用装置は、
前記無線通信デバイスを装着可能な利用側インターフェース手段と、
前記無線通信デバイスを利用するためのドライブ手段と、を有し、
前記設定処理が実行された前記無線通信デバイスが、前記利用側インターフェース手段に装着されると、前記ドライブ手段によって、前記利用装置と前記提供装置との無線通信が可能な状態となる
ことを特徴とする無線通信システム。
【請求項８】
請求項７において、
前記利用装置は、前記利用側インターフェース手段に装着された前記無線通信デバイスが、前記提供装置の前記設定手段による前記設定処理を実行されていないものである場合には、当該無線通信デバイスを前記提供装置に装着すべき旨のメッセージをユーザーに報知する
ことを特徴とする無線通信システム。
【請求項９】
デジタル処理サービスを提供する提供装置と、当該サービスを利用する利用装置と、前記利用装置が前記提供装置と無線通信を行うための可搬性の無線通信デバイスとを備える無線通信システムにおける無線通信方法であって、
前記無線通信デバイスが前記提供装置に装着されると、前記提供装置が、当該装着された無線通信デバイスに、当該無線通信デバイスが装着された前記利用装置と当該提供装置との無線通信を可能にする設定処理を実行する工程と、
前記設定処理を実行された無線通信デバイスが前記利用装置に装着されると、前記利用装置が、当該装着された無線通信デバイスを介して前記提供装置との無線通信が可能な状態とする工程と、を有する
ことを特徴とする無線通信方法。
【発明の詳細な説明】
【技術分野】
【０００１】
本発明は、無線通信を用いてデジタル処理サービスを提供するプリンター等の提供装置などに関し、特に、無線通信を可能とするための設定を容易に行うことのできる提供装置等に関する。
【背景技術】
【０００２】
従来、プリンター、プロジェクター、ハードディスクシステム等のデジタル処理サービスを提供する装置が有線・無線の通信を用いてパーソナルコンピューターなどによって利用されている。
【０００３】
その際、無線通信を利用する場合には、そのための設定作業を各装置に対して行う必要があり、かかる作業には専門知識を要するため一般のユーザーには困難な面があった。
【０００４】
そこで、下記特許文献１では、コンピューターと画像投影装置との通信接続作業を容易にするデバイスが提案され、ＵＳＢメモリに無線通信部を設けたＵＳＢデバイスが開示されている。当該提案では、画像投影装置からデバイスに書き込まれた無線設定情報がまずコンピューターに読み込まれて、当該読み込まれた無線設定情報がコンピューターから当該デバイスに送信されて、無線通信を行わせるようにすることなどが示されている。
【先行技術文献】
【特許文献】
【０００５】
【特許文献１】特開２００８−９０５６１号公報
【発明の概要】
【発明が解決しようとする課題】
【０００６】
しかしながら、上記特許文献１では、コンピューターと画像投影装置との通信を仲介するデバイスがメモリに無線通信部を設けた複合装置であり、上記提案の通信を実現するための専用装置として準備される必要がある。更に、当該デバイスに対してコンピューターと画像投影装置で所定の処理を実行するため、これら双方の装置にも特別の準備が必要となる。従って、上記無線通信を行うための装置環境面における準備において簡便であるとは言えない。また、無線通信のための設定作業時においても、画像投影装置側とコンピューター側の双方での処理が必要となり簡単さという点で課題が残る。
【０００７】
そこで、本発明の目的は、無線通信を用いてデジタル処理サービスを提供するプリンター等の提供装置であって、無線通信を可能とするための設定を従来よりも容易に行うことができ、そのための装置環境も簡便に構築できる提供装置、等を提供することである。
【課題を解決するための手段】
【０００８】
上記の目的を達成するために、本発明の一つの側面は、デジタル処理サービスを提供し、当該サービスを利用する利用装置との間で無線通信を行う提供装置が、無線通信を行う無線通信手段と、装着されることで装着された装置のために無線通信を行う可搬性の無線通信デバイス、を装着可能なインターフェース手段と、無線通信のための設定情報を生成する生成手段と、前記インターフェース手段に装着された前記無線通信デバイスに、前記生成手段が生成した設定情報に基づいて、当該無線通信デバイスが装着された前記利用装置と前記無線通信手段との無線通信を可能にする設定処理を実行する設定手段と、を有する、ことである。
【０００９】
更に、上記の発明において、その好ましい態様は、前記無線通信デバイスは、レジスタを有し、前記設定手段は、前記設定情報を前記レジスタに設定することで前記無線通信を可能にする、ことを特徴とする。
【００１０】
更にまた、上記の発明において、好ましい態様は、前記設定手段は、２以上の前記無線通信デバイスに前記設定処理を実行することが可能であり、前記レジスタに設定する設定情報は、いずれの前記無線通信デバイスに対しても、各無線通信デバイスを識別する情報を除いて同じである、ことを特徴とする。
【００１１】
更に、上記の発明において、一つの態様は、既に用いた前記各無線通信デバイスを識別する情報が、当該提供装置に記憶される、ことを特徴とする。
【００１２】
更に、上記の発明において、好ましい態様は、前記設定手段による設定処理は、前記無線通信デバイスが前記インターフェース手段に装着されたことが検出された際に実行される、ことを特徴とする。
【００１３】
更にまた、上記の発明において、一つの態様は、前記提供装置は、プリンターであり、前記利用装置は、コンピューターである、ことを特徴とする。
【００１４】
上記の目的を達成するために、本発明の別の側面は、デジタル処理サービスを提供する提供装置と、当該サービスを利用する利用装置と、前記利用装置が前記提供装置と無線通信を行うための可搬性の無線通信デバイスとを備える無線通信システムにおいて、前記提供装置は、無線通信を行う無線通信手段と、前記無線通信デバイスを装着可能な提供側インターフェース手段と、無線通信のための設定情報を生成する生成手段と、前記インターフェース手段に装着された前記無線通信デバイスに、前記生成手段が生成した設定情報に基づいて、当該無線通信デバイスが装着された前記利用装置と前記無線通信手段との無線通信を可能にする設定処理を実行する設定手段と、を有し、前記利用装置は、前記無線通信デバイスを装着可能な利用側インターフェース手段と、前記無線通信デバイスを利用するためのドライブ手段と、を有し、前記設定処理が実行された前記無線通信デバイスが、前記利用側インターフェース手段に装着されると、前記ドライブ手段によって、前記利用装置と前記提供装置との無線通信が可能な状態となる、ことである。
【００１５】
更に、上記の発明において、好ましい態様は、前記利用装置は、前記利用側インターフェース手段に装着された前記無線通信デバイスが、前記提供装置の前記設定手段による前記設定処理を実行されていないものである場合には、当該無線通信デバイスを前記提供装置に装着すべき旨のメッセージをユーザーに報知する、ことを特徴とする。
【００１６】
上記の目的を達成するために、本発明の更に別の側面は、デジタル処理サービスを提供する提供装置と、当該サービスを利用する利用装置と、前記利用装置が前記提供装置と無線通信を行うための可搬性の無線通信デバイスとを備える無線通信システムにおける無線通信方法が、前記無線通信デバイスが前記提供装置に装着されると、前記提供装置が、当該装着された無線通信デバイスに、当該無線通信デバイスが装着された前記利用装置と当該提供装置との無線通信を可能にする設定処理を実行する工程と、前記設定処理を実行された無線通信デバイスが前記利用装置に装着されると、前記利用装置が、当該装着された無線通信デバイスを介して前記提供装置との無線通信が可能な状態とする工程と、を有する、ことである。
【００１７】
本発明の更なる目的及び、特徴は、以下に説明する発明の実施の形態から明らかになる。
【図面の簡単な説明】
【００１８】
【図１】本発明を適用した無線通信システムの実施の形態例に係る構成図である。
【図２】ＰＣ２とプリンター４の間で無線通信を構築するためにユーザーが行うべき操作手順を示した図である。
【図３】無線ドングル３がプリンター４に装着された際の処理手順を例示したフローチャートである。
【図４】生成される無線設定情報を例示した図である。
【図５】無線ドングル３がＰＣ２に装着された際の処理手順を例示したフローチャートである。
【発明を実施するための形態】
【００１９】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００２０】
図１は、本発明を適用した無線通信システムの実施の形態例に係る構成図である。図１に示す無線通信システム１が本発明を適用した無線通信システムであり、デジタル処理サービスを提供する提供装置としてのプリンター４、すなわち、本発明を適用した提供装置と、当該プリンター４（のサービス）を利用する利用装置の一例としてのＰＣ２（パーソナルコンピューター）との無線通信を無線通信デバイスである無線ドングル３を介して行うものである。そして、汎用の無線通信デバイスである上記無線ドングル３をプリンター４に装着した際に、プリンター４が自ら生成した無線設定情報を当該無線ドングル３のレジスタ３３に設定して、当該無線ドングル３が上記ＰＣ２に装着されれば上記ＰＣ２とプリンター４間の無線通信接続が構築される状態とし、無線通信を可能とするための設定を従来よりも容易に行うと共に、そのための装置環境も簡便に構築できるようにしようとするものである。
【００２１】
本無線通信システム１は、図１に示すように、ＰＣ２、無線ドングル３、及びプリンター４で構成される。また、プリンター４は一般的によくそうされるように、複数のＰＣ（２、２ａ、２ｂ、２ｃ‥）から利用されることができ、プリンター４と各ＰＣ（２ａ、２ｂ、２ｃ‥）とそれらに対応する各無線ドングル（３ａ、３ｂ、３ｃ‥）によって、それぞれ、無線通信システム１が構成され得る。
【００２２】
各ＰＣ（２、２ａ、２ｂ、２ｃ‥）は同様の構成を有し、また、各無線ドングル（３、３ａ、３ｂ、３ｃ‥）は同様の構成を有するので、以下、ＰＣ２、無線ドングル３について説明する。
【００２３】
ＰＣ２は、汎用のパーソナルコンピューターであり、図示していないが、ＣＰＵ、各種メモリ、ハードディスク、表示装置、操作装置等を備える。また、周辺装置を利用するためのドライバーとしてプリンター４用のドライバー（図示せず）、無線ドングル３用のドライバーである無線通信ドライバー２２を備える。また、ＰＣ２に装着されるデバイスとのインターフェース機能を司るＩ／Ｆ部２１が備えられ、ここには無線ドングル３が装着可能であり、無線ドングル３が装着された場合には当該Ｉ／Ｆ部２１を介して交信する。例えば、ＵＳＢに則った通信が行われる。
【００２４】
なお、無線通信ドライバー２２は、ドライバープログラム、当該プログラムに従った処理を実行する制御装置（ＣＰＵ）等で構成され、当該ドライバープログラムは、ＣＤなどの記憶媒体から当該ＰＣ２にインストールされる、あるいは、無線ドングル３を装着した際に無線ドングル３によって当該ＰＣ２にインストールされる。
【００２５】
このように、ＰＣ２は、汎用のコンピューターに各利用デバイスのドライバープログラムをインストールしたものであり、本無線通信システム１として機能するために特段の準備をする必要はない。
【００２６】
次に、無線ドングル３は、上述のように汎用の可搬性の無線通信デバイスであり、一例として、図１に示すような構成を有する。本無線ドングル３には、主に無線Ｈ／Ｗモジュール３１が備えられ、当該モジュール３１は、レジスタ３３を有する通信制御部３２、物理層制御部３４、無線送受信部３５、及びアンテナ３６を備える。
【００２７】
通信制御部３２は、当該無線ドングル３が装着された装置（ここでは、ＰＣ２）と通信相手（ここでは、プリンター４）との無線通信を制御する部分であり、レジスタ３３に設定された（書き込まれた）各種無線設定情報に基づいて処理を行う。なお、本無線ドングル３が他のデバイスに装着される際のインターフェースは一例としてＵＳＢに則っているが他の方式を採用しても構わない。
【００２８】
次に、プリンター４は、前述したデジタル処理サービスとして印刷のサービスを提供する提供装置であり、どのような印刷方式を採用する装置であってもよい。本プリンター４は、図示していないが、コントローラー部と印刷機構部を有し、各ＰＣからの要求を受け、コントローラー部の制御に基づく印刷機構部の動作によって印刷媒体への印刷処理を実行する。
【００２９】
また、プリンター４は、図１に示すように、他のデバイスとの無線通信機能を担う無線通信モジュール４２が備えられ、当該モジュール４２の中には、無線設定情報生成部４３、無線設定部４４が備えられる。
【００３０】
無線設定情報生成部４３は、上記無線ドングル３を用いた他の装置との通信を行う際に、無線ドングル３のレジスタ３３に設定すべき無線設定情報を生成する部分である。また、無線設定部４４は、無線設定情報生成部４３によって生成された上記情報を本プリンター４に装着された無線ドングル３のレジスタ３３に設定する処理を実行する部分である。これら無線設定情報生成部４３及び無線設定部４４が本無線通信システム１の主要な特徴部分であり、その処理内容については後述する。なお、無線設定情報生成部４３及び無線設定部４４は、処理手順を指示するプログラム、当該プログラムに従って処理を実行する制御装置、当該プログラム及び各種データを格納するメモリ等で構成される。
【００３１】
また、Ｉ／Ｆ部４１は、プリンター４に装着されるデバイスとのインターフェース機能を司る部分であり、ここに無線ドングル３が装着可能であって、無線ドングル３が装着された場合には当該Ｉ／Ｆ部４１を介して交信する。例えば、ＵＳＢに則った通信が行われる。
【００３２】
以上のような構成を有する本無線通信システム１では、無線通信を可能にするための設定処理に特徴を有し、以下、この処理を中心にＰＣ２とプリンター４の間の無線通信が接続されるまでの処理について説明する。
【００３３】
図２は、ＰＣ２とプリンター４の間で無線通信を構築するためにユーザーが行うべき操作手順を示した図である。前述した無線ドングル３を用いてＰＣ２からプリンター４を利用する場合には、まず、ユーザーは、設定処理の行われていない無線ドングル３をプリンター４に装着する（図２の（ａ））。その後、ユーザーは、当該無線ドングル３をＰＣ２の方へ装着する（図２の（ｂ））。以上の簡単な作業で、無線ドングル３の設定処理、及びＰＣ２とプリンター４との接続処理が実行され、それ以降、ＰＣ２からプリンター４を利用することが可能となる。
【００３４】
なお、上記動作の図２の（ａ）に示す段階で無線ドングル３の設定処理が完了し、図２の（ｂ）に示す段階では、設定処理済みの無線ドングル３を用いた接続処理がなされることになる。なお、ＰＣ２には、前述した無線通信ドライバー２２が既に備えられているものとする。すなわち、無線ドングル３用のドライバープログラムが既にインストールされているものとする。
【００３５】
次に、上記操作で実行される処理の具体的な内容について説明する。図３は、無線ドングル３がプリンター４に装着された際の処理手順を例示したフローチャートである。すなわち、図２の（ａ）に示す状態で実行される処理について示されている。
【００３６】
プリンター４に設定処理のなされていない無線ドングル３が装着されると、上記Ｉ／Ｆ部４１がそれを検出し（ステップＳ１）、無線ドングル３が装着されたことが無線通信モジュール４２に通知される。
【００３７】
すると、上記無線設定情報生成部４３が無線設定情報を生成する（ステップＳ２）。図４は、生成される無線設定情報を例示した図である。ＩＰアドレスを含むこれらの各情報は、予め定められた値、予め定められたルールに基づき、適宜、無線設定情報生成部４３が生成可能である。かかる無線設定情報の中でＩＰアドレスを除く他の情報については、どの無線ドングル３に対しても同じ内容とすることが可能であり、本無線通信システム１では、どの無線ドングル（３、３ａ、３ｂ、３ｃ‥）が装着された場合にもＩＰアドレス以外は、同じ無線設定情報が生成される。
【００３８】
ＩＰアドレスの生成では、これまでに使用されていないものを生成する必要があるため、既に発行（生成して設定）したＩＰアドレスをプリンター４が備える不揮発性メモリなどに記憶しておいて、同じものを生成しないようにすることができる。また、別法としては、プリンター４が使用されるネットワーク内をサーチして使われているＩＰアドレスを取得し、それらと異なるＩＰアドレスを生成するようにすることもできる。また、ＤＨＣＰサーバがある場合には、ＰＣ２から当該無線ドングル３を用いた通信を行う際にＤＨＣＰサーバからＩＰアドレスを取得するように指示する内容としておくこともできる。
【００３９】
なお、無線設定情報は、この時点で全て生成するのではなく、プリンター４の電源が投入された際などに予め一部又は全てを生成して記憶しておき、この時点でその記憶された情報を読み出すようにしてもよい。
【００４０】
このようにして無線設定情報が生成されると、上記無線設定部４４がＩ／Ｆ部４１を介して装着されている無線ドングル３にアクセスし、生成された無線設定情報を当該無線ドングル３のレジスタ３３に書き込んで無線設定情報の設定を行う（ステップＳ３）。この処理により、当該無線ドングル３の設定処理が完了し、その後当該無線ドングル３をＰＣ２に装着した場合には、当該無線ドングル３を介したＰＣ２とプリンター４（無線通信モジュール４２）との無線通信が可能となる。
【００４１】
以上の処理により、無線ドングル３をプリンター４に装着した場合の処理が終了し、その後、当該無線ドングル３がユーザーによってプリンター４から抜き取られ、ＰＣ２に装着される。
【００４２】
なお、図１に基づいて説明したように、プリンター４は複数のＰＣに利用されるため、各ＰＣに装着されて使用される複数の無線ドングルに対してもプリンター４は同様の設定処理を実行する。従って、プリンター４は、上述した設定処理を１回行うのではなく、未設定の無線ドングルが装着される度に、同じ処理を実行する。但し、前述したように、毎回、ＩＰアドレスは異なるものを生成して設定する。従って、各無線ドングルは、他に設定されていない独自のＩＰアドレスを設定されることになる。そして、このＩＰアドレスは、各無線ドングル個体を他の個体と識別する情報となる。
【００４３】
なお、上述の設定処理は、設定処理のなされていない未設定ドングルが装着された場合について説明したが、当該プリンター４以外のプリンターに装着することでそのプリンターによる設定処理が既になされている無線ドングルや、ユーザーがＰＣ等を用いて既に設定を行った無線ドングルなどに対しても、それらがプリンター４に装着された場合には、同様の設定処理が行われる。かかる場合、無線ドングルが装着されると、無線設定部４４は、まず、ユーザーに対して設定を変更するか否かの確認を求めるメッセージをプリンター４が備える表示パネルに表示する。その後、当該表示に対してユーザーが変更する旨の指示操作を行った場合には、上述した設定処理を実行する。ユーザーが変更しない旨の指示操作を行った場合には、上記設定処理を実行しない。また、装着された無線ドングルが複数の異なる設定内容を保持できるものであり、既に設定している内容を更新せずに新たな設定を行える場合には、上述したメッセージを出さずに上記設定処理を実行するようにしてもよい。
【００４４】
図５は、無線ドングル３がＰＣ２に装着された際の処理手順を例示したフローチャートである。上述の通り、無線ドングル３がＰＣ２に装着されると、Ｉ／Ｆ部２１がその装着を検出し（ステップＳ１１）、そのことが無線通信ドライバー２２に通知される。すると、無線通信ドライバー２２が起動し（ステップＳ１２）、装着された無線ドングル３の設定で、すなわち、レジスタ３に設定された上記情報に基づいて、動作し、プリンター４との無線接続を確立する（ステップＳ１３）。
【００４５】
それ以降、ＰＣ２からプリンター４へ印刷要求を行う場合には、当該装着された無線ドングル３を介して印刷要求データがプリンター４へ送信されてプリンター４での印刷処理が実行される、ようになる。
【００４６】
また、他のＰＣにおいても、上記設定処理が済んだ無線ドングルが装着された場合には、同様の処理が実行されて、無線ドングルを介した無線通信によりプリンター４を利用できるようになる。
【００４７】
以上説明した実施形態例の変形例として、プリンター４における上記設定処理を行っていない未設定の無線ドングル３をＰＣ２に装着した場合に、まず当該ドングルをプリンター４に装着すべきことをユーザーへ報知するためのメッセージをＰＣ２の表示装置に表示するようにしてもよい。これにより、本発明による簡易セットアップ（無線ドングル３をプリンター４に装着することにより無線の設定が完了すること）を知らないユーザーが未設定の無線ドングル３をＰＣ２に装着して使用しようとした際に、上記メッセージによって簡単に無線の設定を完了させることができるようになる。
【００４８】
なお、この変形例の場合には、未設定の無線ドングル３であることの検出と上記メッセージを表示するための機能をＰＣ２に備える必要がある。具体的には、プリンター４用のドライバープログラム等と共に供給される上記機能を実行するためのユーティリティプログラムがＰＣ２側にインストールされ、当該プログラムに従ってＰＣ２の制御装置が動作することによって上記機能が実現される。
【００４９】
以上説明したように、本実施の形態例に係る無線通信システム１では、無線通信によってプリンター４を利用しようとする場合において、専門的な知識を要する無線通信の設定作業を、無線ドングル３をプリンター４に装着するだけで実行することができるようになり、ユーザー利便性が多いに向上する。
【００５０】
また、そのような設定を行うための特別な準備は、プリンター４側になされているだけであり、言い換えれば、ユーザーは、プリンター４を用意すれば、あとは、汎用のＰＣと汎用の無線ドングルを使用することができ、装置環境の面でも容易な方法であると言える。
【００５１】
更に、プリンター４では、装着された無線ドングル３に繰り返し設定処理を実行するので、複数のＰＣからプリンター４を利用する際に必要な複数の無線ドングルの設定も容易に行うことができる。また、このように複数のＰＣからプリンター４を利用する場合にも、特別な準備はプリンター４側になされているだけであり、かかる場合には、上記装置環境の面でのメリットはより顕著である。
【００５２】
また、無線ドングル３をＰＣ２に装着して使用する際には、既に設定処理が済んでいるので、そのための処理時間を必要とせず、ＰＣ２に装着時に設定処理を行う方法と比べて高速に無線接続を確立することができる。
【００５３】
なお、本実施の形態例では、デジタル処理サービスの提供装置がプリンターであったが、当該提供装置がプロジェクター、スキャナー、デジタルカメラ、モニター、ネットワークを介してＰＣから利用可能な記憶装置（ハードディスクシステム等）などであっても、本発明を適用することができる。
【００５４】
本発明の保護範囲は、上記の実施の形態に限定されず、特許請求の範囲に記載された発明とその均等物に及ぶものである。
【符号の説明】
【００５５】
１  無線通信システム、  ２  ＰＣ（２ａ、２ｂ、２ｃ‥）、  ３  無線ドングル（３ａ、３ｂ、３ｃ‥）（可搬性の無線通信デバイス）、  ４  プリンター、  ２１  Ｉ／Ｆ部、  ２２  無線通信ドライバー（ドライブ手段）、  ３１  無線Ｈ／Ｗモジュール、  ３２  通信制御部、  ３３  レジスタ、  ３４  物理層制御部、  ３５  無線送受信部、  ３６  アンテナ、  ４１  Ｉ／Ｆ部（インターフェース手段）、  ４２  無線通信モジュール（無線通信手段）、  ４３  無線設定情報生成部（生成手段）、  ４４  無線設定部（設定手段）
【図１】
2011011462.tif 000003
【図２】
2011011462.tif 000004
【図３】
2011011462.tif 000005
【図４】
2011011462.tif 000006
【図５】
2011011462.tif 000007